(57)【要約】  排出装置によって排出可能な、特に水素ガス量の形態の、ガス量をガスカウンタ３６を用いて求める方法は、ガス流の方向に見て排出装置２６の上流に接続されている量分割器２０を用いて、排出装置２６へ流れる主流の一部が、ガスカウンタ３６によって副流内で量測定するために分岐されることを、特徴としている。【選択図】図２
2018506703.tif 000002
【特許請求の範囲】
【請求項１】
排出装置によって排出可能な、特に水素ガス量の形態の、ガス量をガスカウンタ（３６）を用いて求める方法において、
ガス流の方向に見て排出装置（２６）の上流に接続されている量分割器（２０）によって、排出装置（２６）へ流れる主流（Ｐ１）の一部が、副流（Ｐ２）内でガスカウンタ（３６）によって量測定するために分岐される、ことを特徴とする排出装置によって排出可能なガス量を求める方法。
【請求項２】
量分割器（２０）の前の流れ方向に見て全ガス流が、この量分割器（２０）によって固定的に設定可能な比（１：６４）で比例的に分割される、ことを特徴とする請求項１に記載の方法。
【請求項３】
主流（Ｐ１）に比較して少ない、副流（Ｐ２）内のガス量が、差圧調整弁（２８）によってその出口側（Ｐ３）において、排出装置（２６）のそれぞれの駆動状態に関係なく、主流（Ｐ１）内をそれぞれ支配している圧力に調整される、ことを特徴とする請求項１又は２に記載の方法。
【請求項４】
副流（Ｐ２）内の圧力が主流（Ｐ１）内の圧力よりも高い場合に、圧力制御弁（２８）が測定導管（Ｐ３）を解放し、主流（Ｐ１）と副流（Ｐ２）内に新たに圧力均衡が形成されるまで、副流（Ｐ２）内にあるガス量が前記測定導管内へ放出される、ことを特徴とする請求項１〜３のいずれか１項に記載の方法。
【請求項５】
測定導管（Ｐ３）内にそれぞれ存在するガス量が熱交換装置（３４）によって膨張されて、温度調節され、特に周囲温度又は室温（ＲＴ）にされる、ことを特徴とする請求項１〜４のいずれか１項に記載の方法。
【請求項６】
測定導管（Ｐ３）内に存在する膨張されて温度調節されたガスが、特に低圧ガスカウンタの形態の、ガスカウンタ（３６）へ供給され、前記ガスカウンタが出口側において、特に逆止め弁の形態の、付勢装置（４２）を有する排出導管に次のように、すなわちガスカウンタ（３６）から排出導管内へ排出されるガスが主流（Ｐ１）内で排出装置（２６）によって排出されるガスに量もしくは質量において比例的に相当するように、接続されている、ことを特徴とする請求項１〜５のいずれか１項に記載の方法。
【請求項７】
ガスカウンタ（３６）に電子的な状態量変換器（３８）が次のように、すなわちガスカウンタ（３６）内で、排出装置（２６）において排出されるガスの量又は質量としての規格立方メートルに正確に較正して換算するために、少なくとも圧力と温度の検出が行われるように、接続されている、ことを特徴とする請求項１〜６のいずれか１項に記載の方法。
【請求項８】
ガスカウンタ（３６）の排出導管内で付勢装置（４２）を通過した後に周囲（４４）へ、あるいはタンク装置（１０、４８）へ放出され、前記タンク装置から排出装置（２６）がストックされているガスを取り出す、ことを特徴とする請求項１〜７のいずれか１項に記載の方法。
【請求項９】
請求項１〜８のいずれか１項に記載の方法を実施する測定装置において、
前記測定装置が、少なくとも、
ガスのための排出装置（２６）と、
量分割器（２０）と、
差圧調整弁（２８）と、
ガスカウンタ（３６）とを有している、測定装置。
【請求項１０】
前記測定装置が、さらに、
ガスカウンタ（３６）に接続されている状態量変換器（３８）と、
付勢装置（４２）と、
タンク装置（１０）とを有している、ことを特徴とする請求項９に記載の装置。
【発明の詳細な説明】
【技術分野】
【０００１】
本発明は、排ガス装置を用いて排出可能な、特に水素ガス量の形態のガス量をガスカウンタを用いて求める方法に関する。
【背景技術】
【０００２】
現在のウィキペディア記事によれば、ガスカウンタは所定の時間内に通過するガス量を求める測定装置である。この種のガスカウンタは、主として家庭用のガス供給の領域内で使用される。しかし、ボーリング技術調査において、正確に量を定めるためにも使用される。ガスカウンタによって検出される単位は、それぞれの駆動状態における立方メートルであって、それが最終的に計算するために規格立方メートルに換算される。さらに、ガスカウンタは、規則的に検定義務を負い、かつカウンタ状態を遠隔照会するために、ガスカウンタに適切なインターフェイスを搭載する可能性がある。
【０００３】
従来技術において、ガス量を定めるためにいわゆるコリオリ−質量流流量測定器の使用が特に好ましいことが明らかにされている。貫流する液体又はガスの質量流を特に正確に測定することができる流量測定器である。この測定方法は、コリオリ原理に基づいている。
【０００４】
しかし、上述したコリオリ原理に基づくそれ自体正確な測定方法を含めて、実証されている測定装置は、規則的に、低すぎる流量を有することからガスがもはや正確に検出されない場合には、もはや信頼をもって使用されない。前提は、既知の方法と装置によって、排ガス装置により排出可能なガス量を信頼できるように定めることができるようにすることである。
【０００５】
石油又は天然ガス駆動される車両に対する代替案として、バッテリ駆動される電気車両のほかに、他の可能な駆動源として水素がとみに価値を認められてきている。バッテリ駆動される車両に対する本質的な利点は、少なくとも現在では、水素がガソリン又はディーゼル燃料のような、通常の燃料に比較して、タンクスタンドにおいて然るべき供給装置を介してタンク供給装置としての、技術的に適切に修正したポンプノズルを用いてタイムリーなやり方で充填することができ、世界中に張り巡らされたタンクスタンドの網がすでに存在し、それらのスタンドは比較的容易に水素供給駆動へ切り替えることができ、その限りにおいて通常の燃料供給を補足し、あるいはスタンドを改築して代えることができることにある。その場合に、水素タンクスタンドユーザーは、従来の燃料供給の場合と同様に、どのくらいの量の水素がタンクに入ったかを、正確に知らなければならないことは、もちろん言うまでもないことである。というのは、この「燃料」も、通常の燃料と同様にスタンドにおいて支払われなければならないからである。
【０００６】
この種の水素用のスタンド供給装置が上述した通常のガスカウンタを搭載している場合に、それらのガスカウンタは、一部は水素の、特に比較的温度が低い場合の水素の排出について、技術的にまったく適しておらず、適していたとしても、それによっては排出量の正確な測定は不可能であることが、明らかにされている。ここでは３％以上の範囲の誤測定は、まったくもって普通である。エンドユーザーの納得がゆかないような、偏差は、補償されなければならない。
【発明の概要】
【発明が解決しようとする課題】
【０００７】
これを前置きとして、本発明の課題は、ガス、特に高圧化された形態のガスの排出量を確実かつ信頼できるように定める方法及び適切なガスカウンタを使用してこの方法を実施するための装置を提供することである。この課題は、特許請求項１の特徴形態に基づく方法及び特許請求項９の特徴を有する測定装置によって解決される。
【課題を解決するための手段】
【０００８】
特許請求項１の特徴部分によれば、本発明によって、ガス流の方向に見て排出装置の上流に接続された量分割器によって、排出装置へ流れる主流の一部が副流内でガスカウンタによって量測定するために分岐される。規則的にタンク供給装置のノズルの形態の排出装置の方向に放出され、その限りにおいて供給状況に従って常に変化する、ガス流量は、上述した量分割器によって比例的に分配又は分割される。その場合に副流内のより少ない質量流はもはや主流内へは戻されず、還流は、副流内のより少ない質量流の圧力が常に、主流内を支配している、量分割器の出口側に生じる圧力に統一されることによって「シミュレートされる」だけであり、その量分割器はその限りにおいて流体又は媒体を案内するように排出装置に接続されている。このようにして、主流に対して比較的わずかであるが、主流内のガスと同一の状態を有する、副流内のガス量によって、ガスカウンタを用いて排出量を正確に定めることが、可能である。というのは、その限りにおいて主流内と副流の測定分岐内で排出する際の比は等しいからである。
【０００９】
量分割器の出口後の主流と副流内で圧力をこのように統一するために、差圧調整弁が用いられ、かつ副流導管内の圧力が主流導管内よりも高い場合には、再び圧力均衡が支配するまでの間、副流内に存在するガス量が上述した差圧調整弁を介して、この弁に接続されている測定導管へ案内される。それから新たに偏差が生じた場合には、弁によって調整プロセスが新たに開始される。次にガスは、この弁を通過した後に、より低い圧力水準にある測定導管を介して熱交換器へ案内されて、その場合に周囲温度にされる。
【００１０】
このように温度調節され、かつ膨張された、サブレーン内もしくは測定導管内の測定ガスは、熱交換器を通過した後に、次に好ましくは較正された低圧ガスカウンタへ供給され、その低圧ガスカウンタは出口側に、特にばね付勢された逆止め弁の形態の付勢装置を有しており、測定の品質にわるい影響をあたえないために、このようにしてあらかじめ定めることができる開放圧によって、上流に接続されているガスカウンタにおける流量をできる限り一定に維持することができる。
【００１１】
低圧ガスカウンタから来るガスは、特に、規則的に水素タンクスタンドのノズルの形態の、排出装置の操作状態に関係なく、主流内の質量に比例することが、明らかにされている。したがって低圧ガスカウンタから来るガスは、また、ノズルにおいてそれぞれ放出されるガスに比例して、規格立方メートルで計算される。低圧ガスカウンタ自体において、測定すべきガスの圧力と温度の検出及び、いわゆる電子状態量変換器によって、規格立方メートル又は質量への正確に較正された換算が行われる。
【００１２】
低圧ガスカウンタから流出するガスは、その後タンクシステム内へ戻すか、あるいは周囲へ放出することができる。というのは、それはきわめてわずかな水素ガス量にすぎず、それは生態学的かつ安全技術的に問題なく周囲へ放出することができるからである。
【００１３】
本発明に係る解決は、水素適用に限定する必要はなく、全体として、特に体積的にきわめて正確にガス量を検出しなければならない場合に、任意のガスのガス量測定に使用することができる。その限りにおいて、上述した排出装置は、ガス供給網に接続されている、その他の負荷から形成することもできる。しかし、装置技術的負担に基づいてすでに、いずれにせよ本発明に係る方法及びこの方法を実施するための測定装置は、高圧ガスに特に適していることが、明らかにされている。その場合に１％より少ない誤差の精度をもって、排出装置から排出可能なガス量が、そのガス量もしくはその質量について求められる。これは、従来技術に類を見ないものであって、タンクスタンド網の通常のタンクスタンドにおけるタンク供給可能な水素排出の実現をそもそも実際に役立つように目論むことが、初めて可能となる。
【００１４】
タンク供給プロセスについて、以下のことを指摘しておく。最大の質量通過は、タンク供給のほぼ中央で行われる。それに対してタンク供給の始めには、排出すべきガスのためのきわめて高い流れ速度と低い密度が存在する。タンク供給の最後においては、このような状況が反転し、その場合に排出すべきガスのためのきわめて低い流れ速度と、それに対して高い密度がもたらされる。したがってタンク供給の最初と最後においてそれぞれより低いガス量通過を考慮しなければならず、それが、タンクスタンドにおいて排出される、支払うべきガスの量又は質量を定めることを、それなりに困難にする。
【００１５】
以下、図面に示す実施例を用いて本発明に係る解決を詳細に説明する。その場合に図は、原理的であり、かつ縮尺にとらわれない表示である。
【図面の簡単な説明】
【００１６】
【図１】水素タンクスタンドにおけるタンク貯蔵可能な水素の排出の形態の作業例を用いて、本発明に係る測定装置の原理的な構造を説明する流体ブロック回路図である。
【図２】測定装置とそれに接続されている、水素タンクノズルの形態の排出装置の重要なコンポーネントを示す斜視図である。
【図３】測定装置の枠内で必要とされる量分割器を示す縦断面図である。
【図４】図４ａは、図３に記載の量分割器のために使用されるような、個々の絞りボディを示す上面図であり、図４ｂはその断面図である。
【図５】図５ａは、図３に記載の量分割器のために使用されるような、個々の絞りボディを示す上面図であり、図５ｂはその断面図である。
【図６】副流内のガス圧を主流内の取り出し圧力に適合させるために、機械的に作動する差圧調整弁を示す縦断面図である。
【発明を実施するための形態】
【００１７】
まず、図１の回路図を用いて本発明に係る測定装置の原理的な構造を詳細に説明する。すなわち図１にはタンクスタンド貯蔵器１０が象徴的に示されており、そのタンクスタンド貯蔵器は、詳しく図示されないタンクスタンドの排出網１２の出口側に接続されている。測定装置を排出網１２に接続するために、カップリング箇所１４が用いられ、そのカップリング箇所においてタンクニップル１６が排出網１２の充填ニップル１８に再び取り外すことができるように接続可能である。カップリング箇所１４を介して２つのニップル１６、１８が適切に接続された場合に、タンクスタンド貯蔵器１０から量分割器２０への流体又は媒体を案内する流路が形成される。
【００１８】
個々の絞り２２、２４に基づいて量分割器２０がその入口側Ｐ０へ供給されるガス流を固定的に設定可能な量分割比において主流Ｐ１と副流Ｐ２へ分割する。副流Ｐ２と主流Ｐ１の間の１：６４の量分割比が特に適していることが明らかにされている。しかしここでは、例えば１：５０又は１：１００の、他の分割比も可能である。しかし重要なことは、副流Ｐ２内で測定するためには、量分割器２０を介して主流Ｐ１に対して常にずっと少ない部分量のみが分岐されることである。量分割器２０の排出側において、主流Ｐ１を有する導管に、ここでは水素を放出するポンプノズルの形態の、排出装置２６が接続されている。
【００１９】
副流Ｐ２を案内する導管は、差圧調整弁２８の入口に接続されているので、その限りにおいて副流Ｐ２は量分割器２０の絞り２４と差圧調整弁２８の入口又は供給側との間に延びている。弁２８の２つの互いに逆となる制御側には、副流Ｐ２内の制御圧と主流Ｐ１内のガス圧が存在し、そのガス圧は、主流Ｐ１内で排出装置２６の前で取り出されて、分岐箇所３０を介して調整弁２８の一方の制御側へ案内される。さらに、調整弁２８は、調整弁２８の排出側における吸引プロセスを介して、図１に示す操作されないその阻止位置で閉鎖され、その限りにおいてその排出側は測定導管Ｐ３によって形成されている。このような閉鎖は、図１の調整弁２８に関しては、蓄勢装置としての圧縮ばね３２によって象徴的に示されている。主流Ｐ１内の圧力が副流Ｐ２内の圧力に等しい場合に、弁は閉鎖されている。
【００２０】
言及されている測定導管Ｐ３は、調整弁２８から来るようにして、その出口側に接続されており、測定導管Ｐ３は、さらにガスカウンタ３６へ通じており、そのガスカウンタは特に低圧ガスカウンタとして形成されている。調整弁２８とガスカウンタ３６の間に熱交換器３４が接続されており、その熱交換器は、一種の螺旋として形成されており、弁２８から来るガスを室温ＲＴもしくは周囲温度にし、その場合に同時に膨張させ、例えば３０ＭＰａ（３００ｂａｒ）のガスを０．０５ＭＰａ（０．５ｂａｒ）〜１．６ＭＰａ（１６ｂａｒ）にする（図１内の周知の設備を参照）。熱交換器３４の出口側とガスカウンタ３６の入口側との間に、さらにバーストディスク４０を配置することができ、そのバーストディスクは、障害が生じた場合に、したがって圧力が高すぎる場合に、バーストし、そのようにして繊細なガスカウンタ３６を過圧又は圧力脈動から保護するために、過圧保護を形成する。ガスカウンタ３６の出口側に付勢装置４２が接続されており、その付勢装置は特に０．０５ＭＰａ（０．５ｂａｒ）〜０．１ＭＰａ（１ｂａｒ）の開口圧力を有する、ばねで付勢する逆止め弁の形態で形成されており、その閉鎖方向はガスカウンタ３６の出口側の方向を向いており、そのガスカウンタと協働する。さらに、ガスカウンタ３６には電子的な状態量変換器３８が接続されている。
【００２１】
開放状態において付勢装置４２を通過したガスは、選択的に煙突４４を介して周囲へ放出するか、あるいは組み合わされたコンプレッサ貯蔵装置４６を用いてタンクスタンド貯蔵器１０内へ戻すことができる。そのために、装置４６は収集タンク４８と測定値記録装置５０を有しており、その測定値記録装置はタンク４４が適切に満たされた場合に、電気モータユニット５２を操作し、その電気モータユニットが圧縮器５４を駆動し、その圧縮器が収集タンク４８からガスを取り出して、タンクスタンド貯蔵器１０内へ戻す。
【００２２】
図１に示す回路図に基づく設備全体の寸法設計に関して、以下のことを指摘しておく。タンクスタンド貯蔵器１０内には、水素ガスが規則的に−４０℃及び８７．５ＭＰａ（８７５ｂａｒ）の作業圧力でストックされる。その場合に水素ガスは、純粋な高圧の水素である。排出網１２内でも、主流側Ｐ１においても、ＰＮ８７５の耐圧強度を有する導管横断面積ＤＮ０４が使用される。仮定される６０グラム／秒の流量において、これは、２４０３Ｎｍ3／ｈ（秒あたりの規格立方メートル）のガス量をもたらす。量分割器２０内の１：６４の比例的な量分割比に基づいて、副流Ｐ２内の約１グラム／秒の流量がもたらされ、それは、１１．２リットル／秒又は４０Ｎｍ3／ｈに相当する。その場合に量分割器２０の入口側Ｐ０と出口側の間で、主流側Ｐ１においても、副流Ｐ２内でも約０．５ＭＰａ（約５ｂａｒ）の最大の圧力差Δρが生じる。個々の導管部分のために使用される導管横断面積ＤＮ０４、ＤＮ２．１及びＤＮ２５が、同様に図１に示されている。
【００２３】
量分割器２０によって分割されたガス流を新たにまとめて案内する代わりに、差圧調整弁２８の出口における、したがって接続されている測定導管Ｐ３の箇所における、圧力が、この調整弁２８によって、量分割器２０とノズルの形態の排出装置２６との間の主流Ｐ１内の圧力とまったく等しい圧力に維持される。その場合に調整弁２８のヒステリシスは、好ましくは０．０６ＭＰａ（０．６ｂａｒ）より小さい。差圧調整弁２８から放出されて、特に「吹き出されて」、熱交換器３４によって周囲温度にされたガスが膨張し、次に、０．１ＭＰａ（１ｂａｒ）の動圧において最大２５Ｎｍ３／ｈに較正されたガスカウンタ３６を用いて永続的に規格立方メートルに換算されて、合計される。
【００２４】
その場合に、この領域内では安定性ＰＮ１６を有する導管横断面積ＤＮ２５が使用される。さらに、１グラム水素／秒の質量流において、ガスカウンタ３６を通る測定導管Ｐ３の測定分岐路内で０．１ＭＰａ（１ｂａｒ）の付勢圧において２０．１６Ｎｍ3／ｈの体積が維持される。このように測定された、好ましくはこの０．１ＭＰａ（１ｂａｒ）開放圧を有する付勢装置４２の逆止め弁を介してせき止められたガスは、その後、すでに説明したように、煙突４４を介して周囲へ放出されるか、あるいはタンクスタンド貯蔵器１０内へ戻すためにコンプレッサ貯蔵装置４６へ案内される。その場合に、すでに言及した電子的な状態量再評価装置３８によって、ガスカウンタ３６の内部の圧力及び温度の変動が求められて、その後、室温とノーマルな空気圧におけるガス体積を求めるために適切に用いられる、排出装置２６のノズルを介して放出される水素ガス量を正確に、金銭換算価値で決算するために適用者側で必要とされる値。
【００２５】
図１に例で示す量分割器測定の原理は、もちろんより大量のガス量と他の導管公称値のためにも、使用することができる。それぞれの圧力又は圧力帯域幅及び予測すべき温度は導管横断面積と圧力特性値を含めて、図１に適切に記載されており、その場合に略称ＲＴは室温である。図２には、図１の回路図の該当するコンポーネントがその具体的な構造形態で示されており、その場合に排出装置２６のノズルは、好ましくは主流Ｐ１のフレキシブルな導管を介して量分割器２０に接続されている。
【００２６】
図３は、図１に示す量分割器２０を縦断面図の形態で示している。２つの終端プレート５６、５８の間に、２つの透孔を備えた収容ボディ６０が延びており、それらの透孔内に、量分割器２０のガス絞り２２もしくは２４を形成するために、個々の絞りボディ６２、６４が収容されている。量分割器２０の内部で入口側Ｐ０から出口側へ向かって主流Ｐ１のためにも副流Ｐ２のためにも、０．５ＭＰａ（５ｂａｒ）の圧力値降下Δρを達成するために、中央の収容ボディ６０の各収容通路内にそれぞれ２０の絞りボディ６２もしくは６４が配置されている。
【００２７】
副流Ｐ２と主流Ｐ１の間で上述した分割１：６４を達成するために、図４ａと４ｂに例として形成されている絞りボディ６２は、多数の個々の絞り孔６６を有しており、その場合に所望の分割比に関して明らかに６４の絞り孔６６が使用されており、それに対して図５ａと５ｂの表示によれば、それぞれの絞りボディ６４のために明らかに１つだけの、特に中央に配置された絞り孔６６が使用され、そのようにして副流Ｐ２内の再び個々に放出可能なガス割合が実現される。
【００２８】
さらに図３に示すように、上方の終端プレート５６は主流Ｐ１と副流Ｐ２のための接続可能性を有しており、下方の終端プレート５８はタンクスタンド排出網１２へ接続するための入口Ｐ０を有している。すべての絞りボディ６２、６４は、外周側においてリングシールを介して密閉されて、溝状の凹部６８（図４ｂと５ｂのＡ−Ａ線に基づく断面表示を参照）内へ収容可能な位置に保持されているが、これについては詳しく図示されていない。さらに、中央の収容ボディ６０のそれぞれの端部に設けられた、それぞれの絞りボディ６２、６４を収容するための通路は、図３に示すように、詳細には図示されない通常のリングシールを介して上方と下方の終端プレート５６、５８に対して密閉されている。１つのカテゴリーの各絞りボディ６２、６４、したがってそれぞれ６４の孔を有するか、あるいは１つの絞り孔６６のみを有するものは、コスト的に好ましく入手すべき同一部品として構成され、温度に耐え、かつ高圧密に形成されている。
【００２９】
図６に示す縦断面図は、図１に記入された差圧調整弁２８の原理的な表示に関するものであり、主流Ｐ１、副流Ｐ２及び測定導管Ｐ３のための接続箇所を示している。高圧と低温に関して、差圧調整弁２８はフランジ構造で特にじょうぶに螺合して形成されている。上方のフランジ部分７０と下方のフランジ部分７２の間に、弁プレートの形態の移動可能な弁部分７６を有する中空チャンバ７４が形成されている。
【００３０】
弁プレート７６は端縁側において、平坦に延びるじゃばらメンブレン７８によって包囲されており、そのじゃばらメンブレンの端縁側が２つのフランジ部分７０、７２の間へ嵌入して、そこで適切に密閉して固定されている。弁プレート７６は、中空チャンバ７４の内部においてわずかな上下動を行うことができ、持ち上げられた位置において、ＰＥＥＫ／鋼からなる弁座８０を解放し、その弁座は測定導管Ｐ３との流体を案内する接続を有している。したがって差圧調整弁２８の駆動中は、ノズル２６における取り出し状況に従って主流Ｐ１に対する副流Ｐ２内の圧力の迅速かつ恒久的な追従に関して弁プレート７６が、場合によっては例えば１００Ｈｚの周波数で、したがって秒あたり１００振動で、振動し、その振動が副流Ｐ２と測定導管Ｐ３の間の流体ガイド７７を弁座８０を介して解放し、もしくは再び閉鎖することが、考慮される。このようにして「量子化」して、主流Ｐ１内と同一の圧力を有する副流Ｐ２内のガス量が、後にガスカウンタ３６と状態量変換器３８によって測定値を処理するために、測定導管Ｐ３へ案内される。
【００３１】
すでに説明したように調整弁２８を、図１に圧縮ばね３２によって象徴的に示される、その操作されないニュートラル位置で閉じておくことは、測定導管Ｐ３を介して弁座８０において部分的に吸引することを介して行われる。浴槽の栓から知られているような効果は、この栓によって流出側で閉鎖又は開放する場合に、その栓は規則的に流出開口部を介して短時間吸引される。大きな利点は、差圧調整弁２８のコンポーネントがすべて機械的なコンポーネントとして、したがって電気装置なしで形成されていることであって、それが水素の引火性に関して大きな役割を果たす。
【００３２】
図２に符号３６で示す低圧ガスカウンタは、回転ピストンガスカウンタとして形成されており、その回転ピストンガスカウンタは、Ｉｔｒｏｎ社の実際のデータシート（これにおいてこのガスカウンタは登録商標Ｄｅｌｔａで購入することができる）によれば、間欠的に駆動する場合でも、正確なガス量決定を可能にし、特に低圧適用する場合にきわめて正確にガス量を体積又は量において検出することができる。同様にＩｔｒｏｎ社において買い足すことができる、取引名称ＣＯＲＵＳ  ＰＴＺで入手できる、状態量変換器３８は、データシート明細によれば統合されたデータメモリ検出と評価も可能にする。上述したＣＯＲＵＳ変換器３８は、ガスカウンタ３６によって駆動中に測定されたガス量を規格条件のもとで該当する体積に変換し、その場合にそのマイクロプロセッサは、量、圧力及び温度の駆動値から圧縮可能数及び状態数と変換されたガス量とを求める。このようにして排出側において排出装置２６の構成要素としてのノズルを介して、タンクスタンドで排出されたガスの、購入価格を求めるために重要な量が商業上正確に求められる。したがって本発明に係る方法及び対応づけられた装置によって初めて、タンクスタンドにおいて実際に関して、エンドユーザーのための水素排出を信頼できるように行うことが可能となり、エンドユーザーは、実際に自分の車両のために取り出したガス量についてのみ、支払うだけでよい。
【図１】
2018506703.tif 000003
【図２】
2018506703.tif 000004
【図３】
2018506703.tif 000005
【図４ａ】
2018506703.tif 000006
【図４ｂ】
2018506703.tif 000007
【図５ａ】
2018506703.tif 000008
【図５ｂ】
2018506703.tif 000009
【図６】
2018506703.tif 000010
【国際調査報告】
2018506703.tif 000011
2018506703.tif 000012
2018506703.tif 000013
2018506703.tif 000014
2018506703.tif 000015
2018506703.tif 000016